(57)【要約】【課題】浴槽の既設アダプタのタイプを自動判別し、判別されたタイプに適合する制御モードに自動切換可能として、アダプタ交換を不要として同じ仕様の高温差し湯型給湯器を適用可能とする。【解決手段】試運転制御においてアダプタタイプ判別部６４１ａによりアダプタからの検出信号の有無、８０℃又は９０℃の高温差し湯でアダプタが自動閉止するか否か、何度の高温差し湯でも自動閉止しないか否かをもってアダプタタイプを判別して特定する。判定結果を制御モード設定処理部６３１に出力し、制御モード記憶部６３３から適合する制御モードを取り込んで差し湯制御部６３ａに設定する。設定済みの情報を設定済み情報記憶部６３２に記憶し、使用段階での高温差し湯の実行を、設定済み情報が記憶されていれば許可し、記憶させていなければ禁止する。【選択図】      図２
2004353985.tif 000002
【特許請求の範囲】
【請求項１】
浴槽に設置された高温差し湯用のアダプタを介して上記浴槽に対し高温差し湯することにより浴槽内の湯水温度を昇温させるように構成された高温差し湯型給湯器において、
上記アダプタと給湯器本体とをその給湯器本体から給湯可能に接続した状態で実際に高温差し湯する試運転制御を実行する試運転制御手段と、
この試運転制御手段により実行される高温差し湯の状況を検出する差し湯状況検出手段と、
この差し湯状況検出手段により検出される高温差し湯の状況に基づいて上記アダプタのタイプを判別するアダプタタイプ判別手段と
を備えていることを特徴とする高温差し湯型給湯器。
【請求項２】
請求項１に記載の高温差し湯型給湯器であって、
上記浴槽に対し高温差し湯制御を実行する差し湯制御手段と、
互いに異なる複数のタイプのアダプタ毎に対応した高温差し湯制御を実行するための複数の制御モードを予め記憶保持した制御モード記憶手段と、
上記アダプタタイプ判別手段から出力される判別結果のアダプタタイプに適合する制御モードを上記制御モード記憶手段から取り込んで上記差し湯制御手段における以後の高温差し湯制御用に設定する制御モード設定処理手段と
を備えている、高温差し湯型給湯器。
【請求項３】
請求項１に記載の高温差し湯型給湯器であって、
報知手段をさらに備え、
上記アダプタタイプ判別手段は、アダプタタイプについて判別した判別結果を上記報知手段により報知させる報知処理を行うように構成されている、高温差し湯型給湯器。
【請求項４】
請求項３に記載の高温差し湯型給湯器であって、
上記浴槽に対し高温差し湯制御を実行する差し湯制御手段と、
互いに異なる複数のタイプのアダプタ毎に対応した高温差し湯制御を実行するための複数の制御モードを予め記憶保持した制御モード記憶手段と、
上記制御モードを選択設定するための設定入力操作を受けてその設定入力信号に対応した制御モードを上記制御モード記憶手段から取り込んで上記差し湯制御手段における以後の高温差し湯制御用に設定する外部設定手段と
を備えている、高温差し湯型給湯器。
【請求項５】
請求項２又は請求項４に記載の高温差し湯型給湯器であって、
上記アダプタタイプ判別手段による判別結果に適合する制御モードが差し湯制御手段に対し設定されたとき制御モードが設定済みであることの設定済み情報を記憶保持する設定済み情報記憶手段をさらに備え、
上記差し湯制御手段は、高温差し湯制御の実行を上記設定済み情報記憶手段に設定済み情報が記憶されていることを条件に許可するように構成されている、高温差し湯型給湯器。
【請求項６】
請求項１に記載の高温差し湯型給湯器であって、
上記アダプタタイプ判別手段は、試運転制御手段により高温差し湯が実行された際に上記差し湯状況検出手段からの検出情報に基づき上記高温差し湯がそのまま浴槽に供給されるか否かによりアダプタタイプを判別するように構成されている、高温差し湯型給湯器。
【請求項７】
請求項１に記載の高温差し湯型給湯器であって、
上記アダプタタイプ判別手段は、試運転制御手段による高温差し湯の温度を所定の設定温度に設定し、この設定温度の高温差し湯が実行された際に上記差し湯状況検出手段からの検出情報に基づき上記高温差し湯がそのまま浴槽に供給されるか否かによりアダプタタイプを判別するように構成されている、高温差し湯型給湯器。
【請求項８】
請求項１に記載の高温差し湯型給湯器であって、
上記差し湯状況検出手段は特定タイプのアダプタに内蔵された温度検出センサであり、
上記アダプタタイプ判別手段は、上記温度検出センサからの検出信号の有無に基づき特定タイプのアダプタであるか否かを判別するように構成されている、高温差し湯型給湯器。
【発明の詳細な説明】
【０００１】
【発明の属する技術分野】
本発明は、給湯栓や浴槽等に対し給湯可能に接続される給湯器であって、浴槽内に湯張りされた湯水を追い焚きする代わりに高温の湯水を浴槽に差し湯（高温差し湯）することにより昇温させる高温差し湯型給湯器に関し、特に上記浴槽に既に設置されている高温差し湯用のアダプタのタイプ（種類）を自動判別した上で、その判別されたアダプタタイプに適合した制御モードに切換・設定する技術に関する。
【０００２】
【従来の技術】
従来、循環配管により浴槽内の湯水を追い焚き循環加熱する給湯器においては、浴槽に対し既に設置されている循環アダプタの設置位置が側面設置か底面設置かの別を給湯器側のコントローラにより自動判別し、この判別結果に基づいて追い焚き用の制御プログラムを変更する手法が知られている（例えば特許文献１参照）。
【０００３】
【特許文献１】
特開２００２−２０６８０２号公報
【０００４】
【発明が解決しようとする課題】
ところで、高温差し湯型給湯器と、これに接続された浴槽とが既に設置されている場合には、ユーザの希望に応じて既設の高温差し湯型給湯器を新型のものに取り替える取替設置工事が行われることがある。この場合、高温差し湯用のアダプタが取り付けられた浴槽自体は既設のものを用い給湯器側のみ取り替えられることが多いため、既設のアダプタと、新設の給湯器に搭載されているコントローラの制御プログラムとの適合性が問題となる。
【０００５】
すなわち、上記の高温差し湯用のアダプタには、浴槽が空の状態で高温差し湯が行われた場合に自動閉止するタイプ又は自動閉止機構を備えない単純なタイプ、自動閉止機構を備えてはいても何度の上限設定温度の高温差し湯で自動閉止するかにより複数種類のタイプ、あるいは、自動閉止機構は備えないものの温度検出センサを備えその検出温度を給湯器側に出力するタイプ等の種々のタイプがある。このように種々のタイプに分かれているのは、上記高温差し湯型給湯器についての技術開発の進展に伴い上記アダプタについても段階的に種々改良が加えられたり、あるいは機能上やグレード上の違いに応じて使い分けされたりしている結果である。このため、上記の取替設置工事を行う際には、新設の高温差し湯型給湯器には最新のタイプのアダプタに適合する差し湯制御が搭載されているため、これに適合するタイプのアダプタが既設の浴槽に設置されているか否かを確認する必要がある。そして、新設の高温差し湯型給湯器とは適合しない場合には適合するアダプタに交換せざるを得なくなる。この場合、浴槽の設置態様によってはアダプタ部分が浴室床面よりも下に埋め込まれているなど外部からは視認し得ないことが多く、確認自体が困難又は不能であったり、アダプタの交換自体も困難を伴う作業になったりするなどの不都合が生じている。
【０００６】
本発明は、このような事情に鑑みてなされたものであり、その目的とするところは、高温差し湯型給湯器の接続対象である浴槽に設置されているアダプタのタイプを自動判別し得る高温差し湯型給湯器を提供することにあり、加えて、その判別結果に応じて制御モードを切換可能とすることにより、タイプの如何を問わずにアダプタの交換を不要とし、いずれのタイプのアダプタに対しても同じ仕様のものを適用し得るようにした高温差し湯型給湯器を提供することにある。
【０００７】
【課題を解決するための手段】
上記目的を達成するために、本発明は、浴槽に設置された高温差し湯用のアダプタを介して上記浴槽に対し高温差し湯することにより浴槽内の湯水温度を昇温させるように構成された高温差し湯型給湯器を対象として次の特定事項を備えることとした。すなわち、上記アダプタと給湯器本体とをその給湯器本体から給湯可能に接続した状態で実際に高温差し湯する試運転制御を実行する試運転制御手段と、この試運転制御手段により実行される高温差し湯の状況を検出する差し湯状況検出手段と、この差し湯状況検出手段により検出される高温差し湯の状況に基づいて上記アダプタのタイプを判別するアダプタタイプ判別手段とを備えることとした（請求項１）。
【０００８】
本発明の場合、試運転制御手段により高温差し湯が実行されると、その高温差し湯の状況が差し湯状況検出手段により検出され、その検出された状況の如何によりアダプタタイプの判別が上記アダプタタイプ判別手段により行われ、上記浴槽に設置されているアダプタタイプが判別・特定されることになる。このような判別結果が給湯器側で把握されるため、以後の差し湯制御に利用したり、あるいは、アダプタ交換の要否を確認することが可能になる。
【０００９】
本発明においては、次のような種々の特定事項を追加採用することができ、これにより、種々の有用な作用が追加して得られることになる。
【００１０】
すなわち、第１として、上記浴槽に対し高温差し湯制御を実行する差し湯制御手段と、互いに異なる複数のタイプのアダプタ毎に対応した高温差し湯制御を実行するための複数の制御モードを予め記憶保持した制御モード記憶手段と、上記アダプタタイプ判別手段から出力される判別結果のアダプタタイプに適合する制御モードを上記制御モード記憶手段から取り込んで上記差し湯制御手段における以後の高温差し湯制御用に設定する制御モード設定処理手段とをさらに備えるようにする（請求項２）。この場合には、上記アダプタタイプ判別手段での判別結果に基づき現に設置されているタイプのアダプタに適合する高温差し湯のための制御モードが差し湯制御手段に対し自動設定されることになる。すなわち、上記制御モード設定処理手段によって、アダプタタイプ判別手段で自動判別されたアダプタタイプに適合する制御モードが制御モード記憶手段から取り込まれて差し湯制御手段に設定され、この設定された制御モードにより以後の高温差し湯制御が実行されることになる。これにより、浴槽に設置されたアダプタのタイプがいかなるものであろうと、そのタイプの如何を問わずにアダプタの交換を不要として同じ仕様の高温差し湯型給湯器を適用させ得ることになる。
【００１１】
第２として、報知手段をさらに備え、上記アダプタタイプ判別手段として、アダプタタイプについて判別した判別結果を上記報知手段により報知させる報知処理を行う構成をさらに備えるようにする（請求項３）。この場合には、アダプタタイプ判別手段により自動判別されたアダプタタイプが報知手段により報知されるため、これを見て既設のアダプタの交換の要否の確認、あるいは、アダプタを交換せずに給湯器側の設定変更等による対処が可能になる。
【００１２】
第３として、上記の第２における報知手段による報知処理の追加を前提にして、上記浴槽に対し高温差し湯制御を実行する差し湯制御手段と、互いに異なる複数のタイプのアダプタ毎に対応した高温差し湯制御を実行するための複数の制御モードを予め記憶保持した制御モード記憶手段と、上記制御モードを選択設定するための設定入力操作を受けてその設定入力信号に対応した制御モードを上記制御モード記憶手段から取り込んで上記差し湯制御手段における以後の高温差し湯制御用に設定する外部設定手段とをさらに備えることとする（請求項４）。この場合には、アダプタの交換作業を不要にし得る上に、現に設置されているアダプタに適合する制御モードへの変更等の設定作業を容易かつ確実に行い得ることになる。すなわち、上記報知手段により報知されたアダプタタイプを外部設定手段に対し設定入力すれば、その設定入力したアダプタタイプに適合した制御モードが制御モード記憶手段から取り込まれて差し湯制御手段に設定され、この設定された制御モードにより以後の高温差し湯制御が実行されることになる。
【００１３】
第４として、上記の第１の特定事項又は第３の特定事項を追加した場合には、さらに次の特定事項を追加することもできる。すなわち、上記アダプタタイプ判別手段による判別結果に適合する制御モードが差し湯制御手段に対し設定されたとき制御モードが設定済みであることの設定済み情報を記憶保持する設定済み情報記憶手段をさらに備え、上記差し湯制御手段に、高温差し湯制御の実行を上記設定済み情報記憶手段に設定済み情報が記憶されていることを条件に許可する構成を追加する（請求項５）。この場合には、ユーザが本給湯器を使用して高温差し湯をしようとする際には、既設のアダプタに必ず適合した高温差し湯制御を実行させることが可能になる。そして、設定済み情報記憶手段に設定済み情報が記憶されていなければ、上記高温差し湯制御の実行が禁止されるため、既設のアダプタに設定された上限設定温度を超える高温の湯が差し湯されることを確実に阻止し得る。なお、上記の設定済み情報が記憶されていない場合には、上記の如く禁止するのではなくて、最も安全側でかつ差し湯による浴槽内湯水の昇温が期待し得る程度の設定温度に強制的に変更した上で差し湯を実行させるようにしてもよい。
【００１４】
また、本発明におけるアダプタタイプ判別手段によるアダプタタイプの自動判別は次の種々の判別手法のいずれか又は想定されるアダプタタイプの範囲に応じて選択した２種以上の組み合わせを用いて行えばよい。
【００１５】
すなわち、第１には、上記アダプタタイプ判別手段として、試運転制御手段により高温差し湯が実行された際に上記差し湯状況検出手段からの検出情報に基づき上記高温差し湯がそのまま浴槽に供給されるか否かによりアダプタタイプを判別する構成とする（請求項６）。これにより、浴槽内が空の状態にあるときに高温差し湯が実行された場合に、その高温差し湯を受けてアダプタ内の流路を自動遮断して閉止する自動閉止機構を備えたタイプのアダプタか、そのような自動閉止機構を備えないタイプのアダプタかの判別が可能になる。この場合の差し湯状況検出手段としては差し湯流量を検出する流量センサもしくは流水を検知する水流スイッチ等により構成すればよい。
【００１６】
第２には、上記アダプタタイプ判別手段として、試運転制御手段による高温差し湯の温度を所定の設定温度に設定し、この設定温度の高温差し湯が実行された際に上記差し湯状況検出手段からの検出情報に基づき上記高温差し湯がそのまま浴槽に供給されるか否かによりアダプタタイプを判別する構成とする（請求項７）。これにより、上記自動閉止機構が何度の上限設定温度で自動閉止するタイプのアダプタであるかの判別が可能になる。例えば８０℃（上限設定温度）で自動閉止するように設定された自動閉止機構を有するタイプのアダプタであれば、８０℃に設定した高温差し湯を実行すれば自動閉止し、９０℃（上限設定温度）で自動閉止するように設定された自動閉止機構を有するタイプのアダプタであれば、９０℃に設定した高温差し湯を実行すれば自動閉止するようになる。これを上記の流量センサもしくは水流スイッチにより構成された差し湯状況検出手段により高温差し湯の停止を検出すれば、いずれの上限設定温度が設定されたタイプのアダプタかの判別が可能になる。
【００１７】
第３には、上記差し湯状況検出手段を特定タイプのアダプタに内蔵された温度検出センサにより構成し、上記アダプタタイプ判別手段として、上記温度検出センサからの検出信号の有無に基づき特定タイプのアダプタであるか否かを判別する構成とする（請求項８）。これにより、温度検出センサが内蔵されているタイプのアダプタであるか、そのような温度検出センサを内蔵していないタイプのアダプタであるかの判別が可能になる。
【００１８】
【発明の効果】
以上、説明したように、請求項１〜請求項８のいずれかの高温差し湯型給湯器によれば、試運転制御手段により高温差し湯が実行されると、その高温差し湯の状況が差し湯状況検出手段により検出され、その検出された状況の如何によりアダプタタイプの判別が上記アダプタタイプ判別手段により行われるため、上記浴槽に設置されているアダプタタイプを判別・特定することができるようになる。これにより、アダプタタイプがいずれであるか不明の浴槽に対し高温差し湯型給湯器を適用する場合においても、そのアダプタタイプを給湯器側で判別して把握することができるため、その判別結果により、以後の差し湯制御に利用したり、あるいは、アダプタ交換の要否を確認することができるようになる。
【００１９】
特に、請求項２によれば、上記アダプタタイプ判別手段での判別結果に基づき現に設置されているタイプのアダプタに適合する高温差し湯用の制御モードを差し湯制御手段に対し自動設定させることができるようになる。これにより、浴槽に設置されたアダプタのタイプがいかなるものであろうと、そのタイプの如何を問わずにアダプタの交換を不要として同じ仕様の高温差し湯型給湯器を適用することができるようになる。
【００２０】
請求項３によれば、アダプタタイプ判別手段により自動判別されたアダプタタイプが報知手段により報知されるため、これを見て既設のアダプタの交換の要否の確認したり、あるいは、アダプタを交換せずに給湯器側の設定変更等により対処したりすることができるようになる。
【００２１】
請求項４によれば、アダプタの交換作業を不要にすることができる上に、外部設定手段を用いて、現に設置されているアダプタに適合する制御モードへの変更等の設定作業を容易かつ確実に行うことができるようになる。そして、設定された制御モードにより以後は現に設置されているアダプタに適合した高温差し湯制御を実行させることができるようになる。
【００２２】
請求項５によれば、ユーザが本給湯器を使用して高温差し湯をしようとする際には、既設のアダプタに必ず適合した高温差し湯制御を実行させることができる一方、設定済み情報記憶手段に設定済み情報が記憶されていなければ上記高温差し湯制御の実行禁止により既設のアダプタに適合しない高温差し湯の実行を確実に阻止することができるようになる。
【００２３】
また、請求項６〜請求項８のいずれかによれば、アダプタタイプ判別手段によるアダプタタイプの自動判別を具体的かつ確実に行うことができるようになる。すなわち、請求項６によれば、自動閉止機構を備えたタイプのアダプタか、そのような自動閉止機構を備えないタイプのアダプタかの判別を確実に行うことができ、請求項７によれば、上記自動閉止機構がいずれの上限設定温度で自動閉止するように設定されたタイプのアダプタであるかの判別を確実に行うことができ、請求項８によれば、温度検出センサが内蔵されているタイプのアダプタであるか、そのような温度検出センサを内蔵していないタイプのアダプタであるかの判別を確実に行うことができる。
【００２４】
【発明の実施の形態】
以下、本発明の実施形態を図面に基づいて説明する。
【００２５】
図１は、本発明の実施形態を適用する高温差し湯型給湯器の例を示すものである。この高温差し湯型給湯器は、給湯器本体１内に、給湯回路２と、この給湯回路２から分岐して浴槽３に湯張りするための湯張り路４と、同じく給湯回路２から分岐して上記浴槽３に高温差し湯するための高温差し湯路５と、コントローラ６ａ又は６ｂとを内蔵したものである。
【００２６】
上記給湯回路２は、水道管等に接続された給水路１１から熱交換器１２に入水した水を燃焼バーナ１３の燃焼熱により熱交換加熱し、加熱後の湯水を出湯路１４を通して下流端の給湯栓１５まで給湯させるようになっている。上記給水路１１と出湯路１４との間には上記熱交換器１２をバイパスするバイパス路１６が設けられて、バイパス制御弁１７の位置制御による開度調整により上記出湯路１４からの出湯に対する水の混合比が変更調整されて上記給湯栓１５又は湯張り路４に対する給湯温度の調整が可能となっている。
【００２７】
上記湯張り路４は、熱交換器１２で加熱した高温の湯に上記バイパス路１６からの水を混合して所定の湯張り温度に温調した上で浴槽３に湯張りし得るように、上記バイパス路１６の合流点よりも下流側の出湯路１４から分岐されている。そして、途中に湯張り弁４１と、差し湯状況検出手段としての落とし込み流量センサ４２とを介して下流端が給湯器本体１の接続端部１８まで延ばされている。この接続端部１８には供給管１９が連結され、この供給管１９の下流端が浴槽３に取り付けられたアダプタ２０に接続され、上記接続端部１８からの湯張りのための湯及び後述の高温さし湯のための湯がそれぞれ供給管１９及びアダプタ２０を通して浴槽３に落とし込まれるようになっている。
【００２８】
上記高温差し湯路５は、熱交換器１２で加熱した高温の湯を浴槽３に高温差し湯し得るように、上記バイパス路１６の合流点よりも上流側であって上記熱交換器１２の出口近傍の出湯路１４から分岐されている。そして、途中に差し湯弁５１を介して下流端が上記湯張り路４の湯張り弁４１と落とし込み流量センサ４２との間の位置に連通され、高温差し湯路５からの高温差し湯が落とし込み流量センサ４２を通過した上で供給管１９及びアダプタ２０を通して浴槽３に落とし込まれるようになっている。
【００２９】
以上の構造の高温差し湯型給湯器は、ＭＰＵ、メモリ等を備え各種の制御用プログラムが格納されたコントローラ６ａ又は６ｂによって、給湯運転、湯張り運転、高温差し湯運転及び試運転等の各種運転の制御がリモコン６１からの出力、上記落とし込み流量センサ４２及び図示省略の各種センサからの出力等に基づいて行われるようになっている。
【００３０】
上記コントローラ６ａ又は６ｂによる基本制御は、上記浴槽３に設置されるアダプタ２０が後述のタイプＤであることを前提にして構築されている。その一方、上記浴槽３や高温差し湯型給湯器が共に新設される場合、例えば新築家屋や新築の集合住宅等に設置される場合には、上記タイプＤのアダプタ２０が設置されることになるが、高温差し湯型給湯器の取替設置の場合においては既設の浴槽３に対しそれまで設置されていたアダプタ２０がタイプＤであるか他のタイプであるかは不明であることが多い。このような既設のアダプタ２０として以下の第１又は第２の各実施形態において想定しているタイプは次のタイプＡ、タイプＢ、タイプＣ、タイプＤの４種類である。
【００３１】
すなわち、タイプＡは、後述の自動閉止機構を備えていなくて浴槽３が空の状態であっても高温差し湯が行われたらそのまま浴槽３に流し込んでしまう最も単純なアダプタである。タイプＢは、形状記憶合金を用いた自動閉止機構を内蔵し浴槽３側が空の状態で供給管１９側から８０℃以上の高温差し湯が来ると弁が閉じて流通を遮断（自動閉止）するアダプタである。つまり、８０℃が高温差し湯を許容する上限設定温度とされたものであり、８０℃の高温差し湯を受けて弁が変形するように形状記憶されたものである。タイプＣは、自動閉止機構を内蔵しその上限設定温度が９０℃に設定されたアダプタである。タイプＤは、上記の自動閉止機構は内蔵していないものの温度検出センサ２１（図２参照）を内蔵したアダプタであり、その温度検出センサ２１により浴槽３内の温度を検出してその検出信号を通信線を介してコントローラ６ａ又は６ｂに出力するようになっているアダプタである。つまり、上記コントローラ６ａ又は６ｂに初期設定されている基本制御は上記温度検出センサ２１の検出温度を用いて行うものであり、以下の第１又は第２の各実施形態ではこの温度検出センサ２１も差し湯状況検出手段の一部を構成する。
【００３２】
以上のように、上記アダプタタイプとしては、上記の如き自動閉止機構を備えているか否かの別、上記自動閉止機構を備えている場合にはその自動閉止機構が遮断作動する温度（高温差し湯が許容される上限設定温度）の別、及び、上記自動閉止機構を備えていない場合には上記温度検出センサ２１を備えているか否かの別によりタイプ分けされている。
【００３３】
＜第１実施形態＞
第１実施形態に係るコントローラ６ａは、図２に示すように給湯制御が実行される給湯制御部６２と、高温差し湯制御が実行される差し湯制御手段としての差し湯制御部６３ａと、試運転制御が実行される試運転制御手段としての試運転制御部６４と、湯張り制御が実行される図示省略の湯張り制御部とを備えている。
【００３４】
上記差し湯制御部６３ａは、制御モード設定処理手段としての制御モード設定処理部６３１と、設定済み情報記憶部６３２と、制御モード記憶手段としての制御モード記憶部６３３とを備えている。そして、上記差し湯制御部６３ａには差し湯制御用の制御モードとして上記のタイプＤのアダプタ２０を対象とする基本制御モードが初期設定されており、上記制御モード設定処理部６３１により変更設定されない限り、上記の基本制御モードによる差し湯制御が実行されるようになっている。
【００３５】
また、上記制御モード記憶部６３２には、上記のタイプＡに適合する制御モード１と、タイプＢに適合する制御モード２と、タイプＣに適合する制御モード３とが予め記憶設定されている。上記の制御モード１は高温差し湯を実行する場合には７０℃の上限設定温度を超えないように差し湯温度を調整して設定落とし込み量だけ差し湯するものであり、上記の制御モード２は８０℃の上限設定温度を超えないように差し湯温度を調整して設定落とし込み量（例えば１５Ｌ）だけ差し湯するものであり、上記の制御モード３は９０℃の上限設定温度を超えないように差し湯温度を調整して設定落とし込み量（例えば１０Ｌ）だけ差し湯するものである。
【００３６】
そして、上記試運転制御部６４はアダプタタイプ判別手段としてのアダプタタイプ判別部６４１ａを備えている。
【００３７】
以下、図３を参照しつつ、上記試運転制御部６４による試運転制御の一部として実行されるアダプタタイプ判別部６４１ａによる判別処理を詳細に説明する。
【００３８】
リモコン６１又は給湯器本体１に設けられた試運転スイッチがＯＮ操作されたことを確認して判別処理を開始し（ステップＳ１でＹＥＳ）、まず、上記の温度検出センサ２１（サーミスタ）からの検出信号が出力されているか否か（通信線が接続されているか否か、つまり導通の有無）を確認する（ステップＳ２）。検出信号が出力されていればアダプタ２０はタイプＤであると判別し、この判別結果と共に既にタイプＤに適合する制御モードが基本制御モードとして差し湯制御部６３に設定済みである旨を設定済み情報記憶部６３２に記憶設定する（ステップＳ２でＹＥＳ，ステップＳ３）。
【００３９】
上記ステップＳ２で検出信号が出力されていなければアダプタ２０はタイプＤ以外の他のタイプであるため、次に、差し湯弁５１を開き燃焼バーナ１３を８０℃の高温差し湯が浴槽３に高温差し湯されるように燃焼作動させて高温差し湯を開始する（ステップＳ４）。この８０℃の高温差し湯が設定落とし込み量だけ完了する間に落とし込み流量センサ４２からの検出流量を監視し（ステップＳ５でＮＯ，ステップＳ６）、検出流量がゼロに変われば、８０℃の高温差し湯を受けて自動閉止機構により自動閉止されたものであり、従ってアダプタ２０はタイプＢであると判別する（ステップＳ６でＹＥＳ，ステップＳ７）。そして、この判別結果を制御モード設定処理部６３１に出力し、タイプＢに適合する制御モード２を制御モード設定処理部６３１により制御モード記憶部６３３から取り込んで差し湯制御部６３の制御モードとして変更設定（切換設定）すると共に、上記判別結果と制御モード２への変更設定済みである旨の設定済み情報を設定済み情報記憶部６３２に記憶設定する（ステップＳ８）。
【００４０】
上記の８０℃の高温差し湯が設定落とし込み量だけ完了すれば、つまり、自動閉止されることなく浴槽３に落とし込まれてしまえば（ステップＳ５でＹＥＳ）、タイプＢではなくて他のタイプであるため、今度は、燃焼バーナ１３の燃焼作動を９０℃の高温差し湯が浴槽３に高温差し湯されるように変更して９０℃の高温差し湯を開始する（ステップＳ９）。この９０℃の高温差し湯が設定落とし込み量だけ完了する間に落とし込み流量センサ４２からの検出流量を監視し（ステップＳ１０でＮＯ，ステップＳ１１）、検出流量がゼロに変われば、９０℃の高温差し湯を受けて自動閉止機構により自動閉止されたものであり、従ってアダプタ２０はタイプＣであると判別する（ステップＳ１１でＹＥＳ，ステップＳ１２）。そして、この判別結果を制御モード設定処理部６３１に出力し、タイプＣに適合する制御モード３を制御モード設定処理部６３１により制御モード記憶部６３３から取り込んで差し湯制御部６３の制御モードとして変更設定（切換設定）すると共に、上記判別結果と制御モード３への変更設定済みである旨の設定済み情報を設定済み情報記憶部６３２に記憶設定する（ステップＳ１３）。
【００４１】
上記の９０℃の高温差し湯が設定落とし込み量だけ完了すれば、つまり、自動閉止されることなく浴槽３に落とし込まれてしまえば、アダプタ２０は温度の如何に拘わらず流通させる最も単純なタイプＡであると判別する（ステップＳ１４）。そして、上記と同様に、判別結果を制御モード設定処理部６３１に出力し、タイプＡに適合する制御モード１を差し湯制御部６３の制御モードとして変更設定すると共に、上記判別結果と制御モード１への変更設定済みである旨の設定済み情報を設定済み情報記憶部６３２に記憶設定する（ステップＳ１５）。
【００４２】
以上で既設のアダプタ２０のアダプタタイプの自動判別と、その判別されたタイプのアダプタ２０に適合する制御モードの差し湯制御部６３ａへの自動設定とが完了する。
【００４３】
そして、試運転終了後のユーザによる使用段階において、上記差し湯制御部６３ａでは、図４に示すように、リモコン６１の高温差し湯スイッチがユーザによりＯＮ操作されれば（ステップＳ４１でＹＥＳ）、まず、設定済み情報記憶部６３２にアダプタタイプ判別や、制御モードの設定が実施済みであることを示す設定済み情報が記憶設定されているか否かを確認する（ステップＳ４２）。設定済み情報が記憶設定されていれば以後の高温差し湯の実行を許可して設定された制御モードに基づく差し湯制御を実行する一方（ステップＳ４３）、記憶設定されていなければ不適合な制御モードによる高温差し湯が実行されるおそれがあるため、以後の高温差し湯の実行を禁止するか、あるいは、上限設定温度（差し湯温度）を最も安全側の温度（例えば７０℃）に変更して高温差し湯制御の実行を許可する（ステップＳ４４）
これにより、既設のアダプタ２０と不適合な高温差し湯が実行されてしまうという万一の不都合の発生を回避することができる。
【００４４】
なお、上記の図４に示す使用段階における制御は第２実施形態においても同様に実施される。
【００４５】
＜第２実施形態＞
図５は、本発明の第２実施形態に係るコントローラ６ｂを示す。このコントローラ６ｂは第１実施形態とは異なる差し湯制御部６３ｂ及びアダプタタイプ判別部６４１ｂを備え、同図に符号７で示す外部設定手段が付加されている点を除き第１実施形態と同じである。以下の第２実施形態の説明においては、第１実施形態と同じ構成要素については第１実施形態と同じ符号を用いて重複する説明を省略している。
【００４６】
上記外部設定手段７は、コントローラ６ｂに設けられて外部からの設定入力操作を受けるディップスイッチにより構成され、差し湯制御部６３ｂの制御モードとして制御モード記憶部６３３に記憶された制御モード１に切換設定するディップスイッチ７１（Ｄｉｐ．ＳＷ１）と、同様に、制御モード２に切換設定するディップスイッチ７２（Ｄｉｐ．ＳＷ２）と、制御モード３に切換設定するディップスイッチ７３（Ｄｉｐ．ＳＷ３）と、予め設定されている基本制御モードをそのまま設定するディップスイッチ７４（Ｄｉｐ．ＳＷ４）とを備えている。この外部設定手段７は、第１実施形態の制御モード設定処理部６３１の代わりに、あるいは、制御モード設定処理部６３１と共に設けられるものである。なお、いずれかのディップスイッチ７１〜７４に対する設定操作が行われれば、その設定操作が行われたこと、すなわち、制御モードの設定が実施済みであるという設定済み情報が併せて設定済み情報記憶部６３２に記憶設定されるようになっている。
【００４７】
以下、図６を参照しつつ、試運転制御部６４による試運転制御の一部として実行されるアダプタタイプ判別部６４１ｂによる判別処理を詳細に説明する。
【００４８】
リモコン６１又は給湯器本体１に設けられた試運転スイッチがＯＮ操作されたことを確認して判別処理を開始し（ステップＳ２１でＹＥＳ）、まず、温度検出センサ２１（サーミスタ）からの検出信号が出力されているか否かの確認によりアダプタ２０がタイプＤであるか否かの判別処理（ステップＳ２２，Ｓ２３）を第１実施形態のステップＳ２及びＳ３（図３参照）と同様に行う。そして、タイプＤと判別されればその判別結果を設定済み情報記憶部６３２に記憶し（ステップＳ２２でＹＥＳ，ステップＳ２３）、その判別結果がタイプＤであること及びディップスイッチ７４（Ｄｉｐ．ＳＷ４）の設定入力操作が必要であることを報知手段としてのリモコン６１により報知する（ステップＳ２４）。この報知は、音声ガイド又は文字情報による表示により行えばよい（以下の「報知」において同じ）。
【００４９】
上記ステップＳ２２で検出信号が出力されていなければアダプタ２０はタイプＤ以外の他のタイプであるため、次に、８０℃の高温差し湯を実行させることによりタイプＢであるか否かの判別（ステップＳ２５〜ステップＳ２７）を第１実施形態のステップＳ４〜ステップＳ６と同様に行う。これにより、アダプタ２０はタイプＢであると判別されればその判別結果を記憶し（ステップＳ２７でＹＥＳ，ステップＳ２８）、判別結果がタイプＢであること及びディップスイッチ７２（Ｄｉｐ．ＳＷ２）の設定入力操作が必要であることをリモコン６１により報知する（ステップＳ２９）。
【００５０】
上記の８０℃の高温差し湯が設定落とし込み量だけ完了すれば、つまり、自動閉止されることなく浴槽３に落とし込まれてしまえば（ステップＳ２６でＹＥＳ）、タイプＢではなくて他のタイプであるため、今度は、高温差し湯の温度を９０℃に変更して高温差し湯を開始させることによりタイプＣであるか否かの判別（ステップＳ３０〜ステップＳ３２）を第１実施形態のステップＳ９〜ステップＳ１１と同様に行う。これにより、アダプタ２０はタイプＣであると判別されればその判別結果を記憶し（ステップＳ３２でＹＥＳ，ステップＳ３３）、判別結果がタイプＣであること及びディップスイッチ７３（Ｄｉｐ．ＳＷ３）の設定入力操作が必要であることをリモコン６１により報知する（ステップＳ３４）。
【００５１】
上記の９０℃の高温差し湯が設定落とし込み量だけ完了すれば、つまり、自動閉止されることなく浴槽３に落とし込まれてしまえば、アダプタ２０は温度の如何に拘わらず流通させる最も単純なタイプＡであると判別してその判別結果を記憶する（ステップＳ３１でＹＥＳ，ステップＳ３５）。そして、上記と同様に、判別結果がタイプＡであること及びディップスイッチ７１（Ｄｉｐ．ＳＷ１）の設定入力操作が必要であることをリモコン６１により報知する（ステップＳ３６）。
【００５２】
以上で既設のアダプタ２０のアダプタタイプの自動判別と、その判別されたアダプタタイプ及びこれに適合する制御モードへの変更のためにどのディップスイッチ７１〜７４による設定入力操作（切換操作）が必要であるかの報知処理とが完了する。
【００５３】
そして、リモコン６１による報知を受けた試運転作業に携わる作業員により所定のディップスイッチ７１〜７４の切換操作が行われると、切換操作した特定のディップスイッチ７１〜７４に対応する制御モード１，制御モード２又は制御モード３への変更設定、あるいは、基本制御モードの設定確認が実行される。
【００５４】
そして、試運転終了後のユーザによる使用段階では上記差し湯制御部６３ｂでは、図４に示す第１実施形態と同様の許可又は禁止もしくは差し湯温度変更に関する処理が付加される。但し、第２実施形態では図４のステップＳ４２で確認する設定済み情報は上記のいずれかのディップスイッチ７１〜７４による切換操作が行われてか否かを表すものとなる。
【００５５】
＜他の実施形態＞
なお、本発明は上記第１及び第２実施形態に限定されるものではなく、その他種々の実施形態を包含するものである。すなわち、上記第１及び第２実施形態では、アダプタタイプとして４種類のものを対象にして説明しているが、２種類以上であればその数に限られず、また、アダプタタイプ毎に制御モードを設定しているが２種類のアダプタタイプに対し同じ制御モードを共用させ得るようにしてもよい。
【図面の簡単な説明】
【図１】本発明の実施形態を示す模式図である。
【図２】第１実施形態のコントローラの内容を示すブロック図である。
【図３】第１実施形態のアダプタタイプ判別の処理内容を示すフローチャートである。
【図４】差し湯制御部による差し湯制御の内容を示すフローチャートである。
【図５】第２実施形態のコントローラの内容を示すブロック図である。
【図６】第２実施形態のアダプタタイプ判別の処理内容を示すフローチャートである。
【符号の説明】
１          給湯器本体
３          浴槽
７          外部設定手段
２０        アダプタ
２１        温度検出センサ（差し湯状況検出手段）
４２        落とし込み流量センサ（差し湯状況検出手段）
６１        リモコン（報知手段）
６３ａ，６３ｂ    差し湯制御部（差し湯制御手段）
６４        試運転制御部（試運転制御手段）
６３１      制御モード設定処理部（制御モード設定処理手段）
６３２      設定済み情報記憶部（設定済み情報記憶手段）
６３３      制御モード記憶部（制御モード記憶手段）
６４１ａ，６４１ｂ    アダプタタイプ判別部（アダプタタイプ判別手段）
【図１】
2004353985.tif 000003
【図２】
2004353985.tif 000004
【図３】
2004353985.tif 000005
【図４】
2004353985.tif 000006
【図５】
2004353985.tif 000007
【図６】
2004353985.tif 000008